(57)【要約】      （修正有）【課題】舌の筋肉を鍛えることが出来る舌のトレーニング器具を提供する。【解決手段】使用者の口腔内に収容できるように構成された舌のトレーニング器具であって、ベース部１と、圧迫ブロック２と、を具えており、ベース部１は、所定の中心軸線Ｌに沿って前端部から後端部へ延伸する略板状の接続板１３と、接続板１３の前端部から中心軸線Ｌの両側へそれぞれ湾曲して全体が馬蹄形状に延伸する略平板状の噛み合わせ板１１０と、使用者の上歯と下歯のいずれか１つの表側と当接することができるように、該噛み合わせ板１１０の表側の外縁部から噛み合わせ板１１０の一面側へ突起する周壁１２と、表側の外縁部の反対側である裏側から噛み合わせ板１１０の一面側へ突起する裏側係止壁１４と、を有するように形成された上下歯噛み合わせ部１１と、を有し、圧迫ブロック２は、接続板１３の後端部に接続され、且つ、ブロック状に形成されている。【選択図】図１
0003229090.tif 000002
【実用新案登録請求の範囲】
【請求項１】
使用者の口腔内に収容することができるように構成された舌のトレーニング器具であって、ベース部と、圧迫ブロックと、を具えており、
前記ベース部は、
所定の中心軸線に沿って前端部から後端部へ延伸する略板状の接続板と、
前記接続板の前記前端部から前記中心軸線の両側へそれぞれ湾曲して全体が馬蹄形状に延伸する略平板状の噛み合わせ板と、
使用者の上歯と下歯のいずれか１つの表側と当接することができるように、該噛み合わせ板の表側の外縁部から前記噛み合わせ板の一面側へ突起する周壁と、
使用者の前記上歯と下歯のいずれか１つの裏側と当接することができるように、前記表側の外縁部の反対側である裏側から前記噛み合わせ板の前記一面側へ突起する裏側係止壁と、を有するように形成された、上下歯噛み合わせ部と、を有しており、
前記圧迫ブロックは、前記接続板の前記後端部に接続され、且つ、ブロック状に形成されていることを特徴とする舌のトレーニング器具。
【請求項２】
前記噛み合わせ板には、前記中心軸線の左右両側にそれぞれ形成されている２つの貫通孔を具えていることを特徴とする請求項１に記載の舌のトレーニング器具。
【請求項３】
前記周壁は、
使用者の上歯の表側と当接することができるように、該噛み合わせ板の前記表側の外縁部から前記噛み合わせ板の上面側へ突起する第１の壁部と、
使用者の下歯の表側と当接することができるように、該噛み合わせ板の前記表側の外縁部から前記噛み合わせ板の下面側へ突起する第２の壁部と、を有するように形成されており、
前記裏側係止壁は、使用者の前記上歯の裏側と当接することができるように、該噛み合わせ板の前記裏側にあって前記接続板に臨む２つの裏側の外縁部からそれぞれ前記噛み合わせ板の上面側へ突起する２つの裏側係止部を有するように形成されており、
更に、前記ベース部には、前記２つの貫通孔の間に位置し、前記噛み合わせ板から下面側へ突起する舌先端ストッパーが形成されていることを特徴とする請求項２に記載の舌のトレーニング器具。
【請求項４】
前記圧迫ブロックは、前記噛み合わせ板と同一の仮想平面に位置し、前記中心軸線に沿って使用者の喉側に向かって、徐々に広がりながら延伸する接続部と、
前記接続部の延伸先である使用者の喉側において前記接続部と接続し、且つ、前記中心軸線を中心軸として、使用者の喉側に向かって更に延伸する略中空の筒状に形成されている筒状部と、を含んでいることを特徴とする請求項１に記載の舌のトレーニング器具。
【請求項５】
前記圧迫ブロックは、更に、前記噛み合わせ板と同一の仮想平面に位置するように前記接続部に接続され、且つ、前記筒状部の内部を横断する横断リブ及び、
前記横断リブの前記中心軸線が通過する箇所から該横断リブと略直交するように下に向かって前記筒状部の内周面まで延伸する支持リブと、を含んでいることを特徴とする請求項４に記載の舌のトレーニング器具。
【請求項６】
前記周壁は、
使用者の上歯の表側と当接することができるように、該噛み合わせ板の前記表側の外縁部から前記噛み合わせ板の上面側へ突起する第１の壁部と、
使用者の下歯の表側と当接することができるように、該噛み合わせ板の前記表側の外縁部から前記噛み合わせ板の下面側へ突起する第２の壁部と、を有するように形成されており、
前記周壁の前記第１の壁部と前記第２の壁部には、それぞれ
前記噛み合わせ板から突起する先端縁の、前記中心軸線に対応する箇所から前記中心軸線に向かって窪んで形成される２つの第１の凹みが形成されており、
更に、前記周壁には
前記中心軸線の左側にあって、且つ、前記第１の壁部の前記噛み合わせ板から突起する先端縁から、前記第２の壁部の前記噛み合わせ板から突起する先端縁まで延伸し、且つ、使用者の前側に向かって開口するように窪んで形成されている第２の凹みと、
前記中心軸線の右側にあって、且つ、前記第１の壁部の前記噛み合わせ板から突起する先端縁から、前記第２の壁部の前記噛み合わせ板から突起する先端縁まで延伸し、且つ、使用者の前側に向かって開口するように窪んで形成されている第３の凹みと、を具えていることを特徴とする請求項１に記載の舌のトレーニング器具。
【請求項７】
前記ベース部に形成されて前記中心軸線に沿って延伸する前記接続板の両側と、前記接続板の前記前端部から前記中心軸線の両側へそれぞれ湾曲して全体が馬蹄形状に延伸する略平板状の前記噛み合わせ板と、の間に、溝がそれぞれ形成されていることを特徴とする請求項１に記載の舌のトレーニング器具。
【請求項８】
使用者の口腔内に収容することができるように構成された舌のトレーニング器具であって、ベース部と、圧迫ブロックと、を具えており、
前記ベース部は、
所定の中心軸線に沿って前端部から後端部へ延伸する略板状の接続板と、
前記接続板の前記前端部から前記中心軸線の両側へそれぞれ湾曲して全体が馬蹄形状に延伸する略平板状の噛み合わせ板と、
使用者の上歯と下歯のいずれか１つの表側と当接することができるように、該噛み合わせ板の表側の外縁部から前記噛み合わせ板の一面側へ突起する周壁と、を有しており、
前記圧迫ブロックは、
前記噛み合わせ板と同一の仮想平面に位置し、前記中心軸線に沿って使用者の喉側に向かって、徐々に広がりながら延伸する接続部と、
前記接続部の延伸先である使用者の喉側において前記接続部と接続し、且つ、前記中心軸線を中心軸として、使用者の喉側に向かって更に延伸する略中空の筒状に形成されている筒状部と、を含んでおり、
前記圧迫ブロックは、更に、
前記噛み合わせ板と同一の仮想平面に位置するように前記接続部に接続され、且つ、前記筒状部の内部を横断する横断リブと、
前記横断リブの前記中心軸線が通過する箇所から該横断リブと略直交するように下に向かって前記筒状部の内周面まで延伸する支持リブと、を有するように形成されていることを特徴とする舌のトレーニング器具。
【請求項９】
使用者の口腔内に収容することができるように構成された舌のトレーニング器具であって、ベース部と、圧迫ブロックと、を具えており、
前記ベース部は、
所定の中心軸線に沿って前端部から後端部へ延伸する略板状の接続板と、
前記接続板の前記前端部から前記中心軸線の両側へそれぞれ湾曲して全体が馬蹄形状に延伸する略平板状の噛み合わせ板と、
使用者の上歯と下歯のいずれか１つの表側と当接することができるように、該噛み合わせ板の表側の外縁部から前記噛み合わせ板の一面側へ突起する周壁と、を有しており、
前記圧迫ブロックは、前記接続板の前記後端部に接続され、且つ、ブロック状に形成されており、
更に、前記ベース部に形成されて前記中心軸線に沿って延伸する前記接続板の両側と、前記接続板の前記前端部から前記中心軸線の両側へそれぞれ湾曲して全体が馬蹄形状に延伸する略平板状の前記噛み合わせ板と、の間に、溝がそれぞれ形成されていることを特徴とする舌のトレーニング器具。
【考案の詳細な説明】
【技術分野】
【０００１】
本考案は、舌のトレーニング器具に関し、特に舌の筋肉を鍛えることが出来る舌のトレーニング器具に関する。
【背景技術】
【０００２】
ディープフロントラインは人体の筋膜ラインの中で、高密度な筋膜で持久力が高い遅筋繊維が多く含まれており、人体の筋膜系統の中心軸をなし、骨盤を介して、股関節と深く係る他、胸郭を安定化させて、呼吸のリズムを作り出す他、頚部を安定させ、その上にある重い頭部とのバランスを保つ働きがある。ディープフロントラインは、舌から始まり、頚椎の周りの筋肉、胸腔内部の筋肉や内臓筋膜、腹腔、骨盤、大腿や下腿の筋肉などに分布すると共に、様々な器官と関連している。そのため、ディープフロントラインの筋膜系統に問題が起こったり、筋膜の張りが失われたりすると、嚥下困難や言語障害、いびき、呼吸機能障害、顎関節の痛み、ストレートネックなどの頚椎の湾曲異常、腰椎の配列異常、足底筋膜炎、内臓の機能障害など、様々な症状を引き起こす。
【考案の概要】
【考案が解決しようとする課題】
【０００３】
本考案は、上記問題点に鑑みて、舌の筋肉を鍛えることによって、ディープフロントラインの筋膜に刺激を与えることが出来る舌のトレーニング器具を提供することを課題とする。即ち、舌は筋性の器官であり、そしてディープフロントラインで唯一体表にあり、直接触ることもでき、そして舌の動きは、脳によってコントロールされているので、舌を鍛える機能を備える口腔内のトレーニング器具を提供することで、ディープフロントラインの筋膜系統に刺激を与えることが可能となり、筋膜系統によって引き起こされる体の痛みや疾患を予防する効果を得ることが予期できる。
【課題を解決するための手段】
【０００４】
使用者の口腔内に収容することができるように構成された舌のトレーニング器具であって、ベース部と、圧迫ブロックと、を具えており、
前記ベース部は、
所定の中心軸線に沿って前端部から後端部へ延伸する略板状の接続板と、
前記接続板の前記前端部から前記中心軸線の両側へそれぞれ湾曲して全体が馬蹄形状に延伸する略平板状の噛み合わせ板と、
使用者の上歯と下歯のいずれか１つの表側と当接することができるように、該噛み合わせ板の表側の外縁部から前記噛み合わせ板の一面側へ突起する周壁と、
使用者の前記上歯と下歯のいずれか１つの裏側と当接することができるように、前記表側の外縁部の反対側である裏側から前記噛み合わせ板の前記一面側へ突起する裏側係止壁と、を有するように形成された、上下歯噛み合わせ部と、を有しており、
前記圧迫ブロックは、前記接続板の前記後端部に接続され、且つ、ブロック状に形成されていることを特徴とする舌のトレーニング器具を提供する。
【考案の効果】
【０００５】
本考案の舌のトレーニング器具は、ベース部と圧迫ブロックとからなる構造を持ち、使用者は、本考案の器具を口腔内に装着する際、圧迫ブロックが舌を圧迫するようになり、この圧迫に応じて使用者は舌の部分に力が入ることで、舌の筋肉のトレーニングをすると共に、舌の筋肉と繋がっているディープフロントラインの筋膜に刺激を与えることで、リハビリの効果を得ることができる。特に、使用者がディープフロントラインの筋膜系統失調などの症状を持っている場合、これを改善する効果も期待できる。
【図面の簡単な説明】
【０００６】
【図１】本考案の実施形態における舌のトレーニング器具の構成が示される斜視図である。
【図２】本考案の実施形態における舌のトレーニング器具の構成が示される平面図である。
【図３】本考案の実施形態における舌のトレーニング器具の構成が示される底面図である。
【図４】本考案の実施形態における舌のトレーニング器具の構成が示される正面図である。
【図５】本考案の実施形態における舌のトレーニング器具の構成が示される背面図である。
【図６】本考案の実施形態における舌のトレーニング器具の構成が示される側面図である。
【考案を実施するための形態】
【０００７】
以下、本考案に係る舌のトレーニング器具１０の実施形態について、図面を参照して説明する。
【０００８】
図１〜図６に本考案の実施形態における舌のトレーニング器具の実施形態が示されており、図１は、該舌のトレーニング器具１０の構成が示される斜視図であり、図２は、同舌のトレーニング器具１０のベース部１と圧迫ブロック２の構成が示される平面図であり、図３は、同舌のトレーニング器具１０の舌ストッパー１５の構成が示される底面図であり、図４は、同舌のトレーニング器具１０を使用者の正面から見た構成が示される正面図であり、図５は、同舌のトレーニング器具１０を使用者側から見た構成が示される背面図であり、図６は同舌のトレーニング器具１０を右側から見た構成が示される側面図である。
【０００９】
図示のように、本考案の舌のトレーニング器具１０は、使用者の口腔内に収容することができるように、即ち、使用者の口腔に対応するサイズに構成されており、ベース部１と、圧迫ブロック２と、を具えている。ベース部１は、所定の中心軸線Ｌに沿って前端部から後端部へ延伸する略板状の接続板１３と、接続板１３の前端部から中心軸線Ｌの両側へそれぞれ湾曲して全体が馬蹄形状に延伸する略平板状の噛み合わせ板１１０と、使用者の上歯と下歯のいずれか１つの表側と当接することができるように、噛み合わせ板１１０の表側の外縁部１１１から噛み合わせ板１１０の一面側へ突起する周壁１２と、使用者の上歯と下歯のいずれか１つの裏側と当接することができるように、表側の外縁部１１１の反対側である裏側から噛み合わせ板１１０の一面側へ突起する裏側係止壁１４と、を有するように形成された、上下歯噛み合わせ部１１と、を有している。
【００１０】
ベース部１には、更に、接続板１３の両側と、接続板１３の前端部から中心軸線Ｌの両側へそれぞれ湾曲して全体が馬蹄形状に延伸する略平板状の噛み合わせ板１１０と、の間に、溝１３２がそれぞれ形成されている。
【００１１】
噛み合わせ板１１０には、中心軸線Ｌの左右両側にそれぞれ形成されている２つの貫通孔１１５が具えられており、更に貫通孔１１５の間に位置し、噛み合わせ板１１０から下面側へ突起する舌先端ストッパー１５（図３参照）が形成されている。
【００１２】
周壁１２は、使用者の上歯の表側と当接することができるように、噛み合わせ板１１０の表側の外縁部１１１から噛み合わせ板１１０の上面側へ突起する第１の壁部３１と、使用者の下歯の表側と当接することができるように、噛み合わせ板１１０の表側の外縁部１１１から噛み合わせ板１１０の下面側へ突起する第２の壁部３２と、を有するように形成されている。
【００１３】
周壁１２の第１の壁部３１と第２の壁部３２は、それぞれ噛み合わせ板１１０から突起する先端縁の、中心軸線Ｌに対応する箇所から中心軸線Ｌに向かって窪んで形成される２つの第１の凹み１２１と、正面から見て中心軸線Ｌの左側にあって、且つ、第１の壁部３１の噛み合わせ板１１０から突起する先端縁から、第２の壁部３２の噛み合わせ板１１０から突起する先端縁まで延伸し、且つ、使用者の前側に向かって開口するように窪んで形成されている第２の凹み１２２と、正面から見て中心軸線Ｌの右側にあって、且つ、第１の壁部３１の噛み合わせ板１１０から突起する先端縁から、第２の壁部３２の噛み合わせ板１１０から突起する先端縁まで延伸し、且つ、使用者の前側に向かって開口するように窪んで形成されている第３の凹み１２３と、を具えている。
【００１４】
裏側係止壁１４は、図１〜図３に示されているように、使用者の前記上歯の裏側と当接することができるように、該噛み合わせ板１１０の裏側にあって接続板１３に臨む２つの裏側の外縁部１１２からそれぞれ噛み合わせ板１１０の上面側へ突起する２つの裏側係止部１４１を有するように形成されている。
【００１５】
圧迫ブロック２は、接続板１３の後端部に接続され、且つ、ブロック状に形成されており、噛み合わせ板１１０と同一の仮想平面に位置し、中心軸線Ｌに沿って使用者の喉側に向かって、徐々に広がりながら延伸する接続部２１と、接続部２１の延伸先である使用者の喉側において接続部２１と接続し、且つ、中心軸線Ｌを中心軸として、使用者の喉側に向かって更に延伸する略中空の筒状に形成されている筒状部２２と、を含んでいる。更に、筒状部２２の内部を横断し、且つ、噛み合わせ板１１０と同一の仮想平面に位置するように接続部２１に接続されている横断リブ２３及び、横断リブ２３の中心軸線Ｌが通過する箇所から横断リブ２３と略直交するように下に向かって筒状部２２の内周面に到達するまで延伸する支持リブ２４と、を含んでいる。
【００１６】
本実施形態において、ベース部１と、圧迫ブロック２は、ゴムやシリコーン、医療分野で使用されているポリ塩化ビニル（ＰＶＣ）などの可撓性材料によって作成されている。
【００１７】
貫通孔１１５は、ベース部１が外部から圧力を受けた際に、変形して外圧による衝撃を緩和する機能を有している。更に、本実施形態において、貫通孔１１５の数は２つであるが、貫通孔１１５の数はこれに限定されない。
【００１８】
図３から図６に示されるように、周壁１２は、横断面で半円状を呈しており、上述のように、使用者の上歯と下歯のいずれか１つの表側と当接することができるように、噛み合わせ板１１０の表側の外縁部１１１から噛み合わせ板１１０の一面側へ突起している。周壁１２の高さは中心軸線Ｌから左右両端に向かって、徐々に低くなっている。これは、人間工学に基づいた構造に合わせて舌のトレーニング器具１０を口腔内に装着したときに違和感を感じにくい設計になっている。
【００１９】
また、舌のトレーニング器具１０を口腔内に装着し唇を閉じる際に、周壁１２の第１の凹み１２１が、上唇小帯または下唇小帯に対応することで、舌のトレーニング器具１０を口腔内に装着したときの違和感を軽減している。
【００２０】
ベース部１の溝１３２は、上下歯噛み合わせ部１１が接続板１３の方向に向かって外部から圧力を受けた際に、変形して、外部からの衝撃を緩和する機能を有する。
【００２１】
図２に示されるように、上下歯噛み合わせ部１１は、周壁１２及び裏側係止壁１４（裏側係止部１４１）と共に使用者の上歯を収容可能にする上歯収容スロット１１４を形成している。舌のトレーニング器具１０を装着するときに、裏側係止壁１４が、上歯を上歯収容スロット１１４に導くことで、正確な噛み合わせを可能とし、舌のトレーニング器具１０を口腔内に装着したときの安定性を高めている。
【００２２】
図３に示されるように、舌先端ストッパー１５は、噛み合わせ板１１０に形成されており、舌のトレーニング器具１０を口腔内に装着するときに、舌の先端部を置く場所に導く機能を有している。この構造により、舌のトレーニング器具１０を口腔内に装着した際に、使用者が舌を上げることで、舌の筋肉を鍛える効果を得ることが可能となる。
【００２３】
図２と、図５と、図６に示されるように、圧迫ブロック２は筒状部２２の形状により、舌のトレーニング器具１０を口腔内に装着した際に、舌や口腔の下部を圧迫する機能を有している。
【００２４】
図１から図３を参照し、舌のトレーニング器具１０を口腔内に装着する際の使用方法について説明を行う。使用者は、舌のトレーニング器具１０のベース部１を使用者と反対側、つまり唇側に向けて、圧迫ブロック２を使用者の内側、つまり喉側に向けて、裏側係止壁１４を上向きに、舌先端ストッパー１５を下向きにして、更に、周壁１２を、上下の歯の表側と当接するように、裏側係止壁１４を上歯の裏側と当接するように、上歯を上歯収容スロット１１４に収容し、上唇小帯を第１の凹み１２１に収容するように舌のトレーニング器具１０を口腔内に装着する。この時、貫通孔１１５と溝１３２の構造により、外部からの圧力に伴ってベース部１は変形することができる。よって、舌のトレーニング器具１０を口腔内に装着する際に、外部から圧力を受けると、周壁１２の左右両端が中心軸線Ｌに対して内側に縮むように折れ曲がるように貫通孔１１５が縮小し、同時に溝１３２も縮小する。
【００２５】
また、舌のトレーニング器具１０を口腔内に装着し、歯を噛み締めるとき、上記のように構成された圧迫ブロック２の形状により、上あごが圧迫ブロック２の筒状部２２の上縁部と当接すると共に舌が上から圧迫されて、圧迫ブロック２の筒状部２２の下縁部と当接する。このように圧迫ブロック２は舌の舌根に上から圧力を加える機能を有し、このとき、使用者が舌を上に向かって動かそうとすることで、舌の筋肉のトレーニング効果を得ることが出来る。更にディープフロントラインの筋膜を十分に刺激することにより、リハビリ効果も得ることができ、ディープフロントラインの筋膜系統失調の症状を改善することが出来る。
【００２６】
よって、本考案の舌のトレーニング器具１０は、裏側係止壁１４によって、上歯を上歯収容スロット１１４に導くことで、正確な噛み合わせを可能とし、舌のトレーニング器具１０を口腔内に装着したときの安定性を高めており、貫通孔１１５は、外部から圧力を受けた際に、変形し外部からの圧力を緩和する機能を有する。上下歯噛み合わせ部１１に形成されており、下面側へ突起する舌先端ストッパー１５は、舌の先端部の置き場所を提供し、舌を上げさせる機能を有している。圧迫ブロック２の構成により、圧迫ブロック２が、舌を上から圧迫することで、舌の筋肉を鍛えることができ、ディープフロントラインの筋膜を、刺激することにより、リハビリ効果も得ることができ、ディープフロントラインの筋膜系統失調の症状を改善することができ、本考案の目的を達成することが出来る。
【００２７】
以上、本考案の実施形態を詳細に説明したが、例示に過ぎず、実用新案登録請求の範囲を限定するものではない。実用新案登録請求の範囲には、以上に例示した具体例を変形、変更したものが含まれる。
【符号の説明】
【００２８】
１０        舌のトレーニング器具
１          ベース部
１１        上下歯噛み合わせ部
１１０      噛み合わせ板
１１１      表側の外縁部
１１２      裏側の外縁部
１１３      第１の側縁部
１１４      上歯収容スロット
１１５      貫通孔
１２        周壁
１２１      第１の凹み
１２２      第２の凹み
１２３      第３の凹み
１３        接続板
１３１      第２の側縁部
１３２      溝
１４        裏側係止壁
１４１      裏側係止部
１５        舌先端ストッパー
２          圧迫ブロック
２１        接続部
２２        筒状部
２３        横断リブ
２４        支持リブ
３１        第１の壁部
３２        第２の壁部
Ｌ          中心軸線
【図１】
0003229090.tif 000003
【図２】
0003229090.tif 000004
【図３】
0003229090.tif 000005
【図４】
0003229090.tif 000006
【図５】
0003229090.tif 000007
【図６】
0003229090.tif 000008